(57)【要約】【課題】主に、前席乗員と後席乗員とで共用し得るようにすると共に、保冷庫や保温庫としても使用し得るようにする。【解決手段】コンソールボックス本体１２と、このコンソールボックス本体１２の上面に形成された開口部１３に対して開閉自在に取付けられた蓋体１４とを備えたコンソールボックス構造であって、蓋体１４が、前席側から開閉可能な下部蓋部１５と、後席側から開閉可能な上部蓋部１６とを有する前後両開構造部１７を備えるようにしている。【選択図】図５
2010143501.tif 000002
【特許請求の範囲】
【請求項１】
コンソールボックス本体と、該コンソールボックス本体の上面に形成された開口部に対して開閉自在に取付けられた蓋体とを備えたコンソールボックス構造において、
前記蓋体が、前席側から開閉可能な下部蓋部と、後席側から開閉可能な上部蓋部とを有する前後両開構造部を備えたことを特徴とするコンソールボックス構造。
【請求項２】
前記下部蓋部と、上部蓋部とのそれぞれに対し、断熱性を確保、向上可能な断熱材を内蔵したことを特徴とする請求項１記載のコンソールボックス構造。
【発明の詳細な説明】
【技術分野】
【０００１】
この発明は、コンソールボックス構造に関するものである。
【背景技術】
【０００２】
自動車などの車両には、車室内の前席部分における、運転席と助手席との間の位置に、センターコンソールなどが設けられている。このセンターコンソールの後部は、通常、コンソールボックスなどとされている（例えば、特許文献１参照）。
【０００３】
図１１に示すように、このようなコンソールボックス１は、コンソールボックス本体２と、このコンソールボックス本体２の上面に形成された開口部３に対して開閉自在に取付けられた蓋体４とを備えている。そして、コンソールボックス本体２と蓋体４との間には、後端側にヒンジ部５が設けられると共に、前端側にロック部６が設けられている。
【０００４】
このような構成によれば、前席乗員が、前端側のロック部６を操作（アンロック）すると共に、ヒンジ部５を中心として、蓋体４を上方で且つ後方へ回動することにより、蓋体４が倒伏状態から起立状態へと変位し、以て、コンソールボックス本体２の上面の開口部３を開くことができる。これにより、コンソールボックス本体２の内部への物の出し入れが可能となる。
【０００５】
反対に、前席乗員が、ヒンジ部５を中心として、蓋体４を下方で且つ前方へ回動することにより、蓋体４が起立状態から倒伏状態へと変位し、以て、コンソールボックス本体２の上面の開口部３を閉じることができる。この際、ロック部６は、ロックされることになる。これにより、コンソールボックス本体２の内部への物の収容、保管が可能となる。
【特許文献１】特開２００７−２４５８８号
【発明の開示】
【発明が解決しようとする課題】
【０００６】
しかしながら、上記したコンソールボックス１は、前席側からしか開閉できないようになっているので、後席側からは使用できないという問題があった。
【０００７】
また、上記した蓋体４は、断熱性が考慮されていないため、そのままでは、コンソールボックス１を保冷庫や保温庫として使用するのが難しいという問題があった。
【０００８】
なお、上記した以外にも、本発明に至る過程で新たな問題やその他の問題などが発生することも考えられる。このような新たな問題やその他の問題などについては、この欄で記載する代りに本発明の実施例の中で説明するものとする。但し、この欄に記載する必要が生じた場合には、実施例中の当該記載をこの欄にも加えることができるものとする。また、その場合には、この欄の記載として適した表現に修正することができるものとする。
【課題を解決するための手段】
【０００９】
上記課題を解決するために、請求項１に記載された発明は、コンソールボックス本体と、該コンソールボックス本体の上面に形成された開口部に対して開閉自在に取付けられた蓋体とを備えたコンソールボックス構造において、前記蓋体が、前席側から開閉可能な下部蓋部と、後席側から開閉可能な上部蓋部とを有する前後両開構造部を備えたことを特徴としている。
【００１０】
請求項２に記載された発明は、上記において、前記下部蓋部と、上部蓋部とのそれぞれに対し、断熱性を確保、向上可能な断熱材を内蔵したことを特徴としている。
【００１１】
なお、上記は、それぞれ、所要の作用効果を発揮するための必要最小限の構成であり、上記構成の詳細や、上記されていない構成については、それぞれ自由度を有しているのは勿論である。そして、上記構成の記載から読取ることが可能な事項については、特に具体的に記載されていない場合であっても、その範囲内に含まれるのは勿論である。また、上記以外の構成を追加した場合には、追加した構成による作用効果が加わることになるのは勿論である。
【発明の効果】
【００１２】
請求項１の発明によれば、上記構成によって、以下のような作用効果を得ることができる。即ち、蓋体が、下部蓋部と上部蓋部とを有する前後両開構造部を備えることにより、前席側からは、下部蓋部と上部蓋部とを一体的に開閉することによって、コンソールボックス本体に対する物の出し入れなどを行うことができる。また、後席側からは、上部蓋部のみを開閉することによって、コンソールボックス本体に対する物の出し入れなどを行うことができる。これにより、同じコンソールボックスを、前席乗員と後席乗員とで共用することが可能となり、利便性を向上することができる。
【００１３】
請求項２の発明によれば、上記構成によって、以下のような作用効果を得ることができる。即ち、下部蓋部と、上部蓋部とのそれぞれに対して断熱材を内蔵することにより、蓋体の部分の断熱性を確保、向上することが可能となる。これにより、例えば、コンソールボックスを保冷庫や保温庫として使用することが可能となり、コンソールボックス本体の内部に、冷たい飲物や暖かい飲物などを、保冷状態や保温状態のまま長時間、収容保存、貯蔵しておくことが可能となる。
【発明を実施するための最良の形態】
【００１４】
本発明は、主に、前席乗員と後席乗員とで共用し得るようにすると共に、保冷庫や保温庫としても使用し得るようにすることを目的としている。
【００１５】
以下、本発明を具体化した実施例について、図示例と共に説明する。
【００１６】
なお、以下の実施例は、上記した背景技術や発明が解決しようとする課題などと密接な関係があるので、必要が生じた場合には、互いに、記載を流用したり、必要な修正を伴って流用したりすることができるものとする。
【実施例】
【００１７】
図１〜図１０は、この発明の実施例を示すものである。
【００１８】
＜構成＞まず、構成について説明する。
【００１９】
自動車などの車両には、車室内の前席部分における、運転席と助手席との間の位置に、センターコンソールが設けられている。このセンターコンソールの後部を、コンソールボックスとする。
【００２０】
即ち、図１（〜図２）に示すように、このようなコンソールボックス１１は、コンソールボックス本体１２と、このコンソールボックス本体１２の上面に形成された開口部１３（図２参照）に対して開閉自在に取付けられた蓋体１４とを備えている。
【００２１】
そして、このような構成に対し、この実施例のものでは、以下のような構成を備えるようにしている。
【００２２】
（ａ）即ち、図３（〜図７）に示すように、蓋体１４は、前席側から開閉可能な下部蓋部１５と、後席側から開閉可能な上部蓋部１６とを有する前後両開構造部１７を備えるようにしている。即ち、蓋体１４は、前後両開式蓋部とされている。
【００２３】
（ｂ）そして、図８に示すように、下部蓋部１５と、上部蓋部１６とのそれぞれに対し、断熱性を確保、向上可能な断熱材１８，１９を内蔵するようにしている。
【００２４】
（ｃ）より具体的な構造は以下のようになっている。
【００２５】
図５に示すように、コンソールボックス本体１２は、その内部に、飲料容器を収容可能な大きさおよび深さの飲料容器収容部２１を有している。この飲料容器収容部２１の外周や底面には、図示しない断熱材や、断熱構造部などを設けることができる。
【００２６】
図２に示すように、下部蓋部１５には、その中央部に、上部蓋部１６を開いた時に、開口部１３と連通してコンソールボックス本体１２を開口可能な主蓋貫通穴部２４が形成されている。
【００２７】
上部蓋部１６は、下部蓋部１５の上部に重なるように設置されている。或いは、上部蓋部１６は、下部蓋部１５の上部に覆い被さるように配置（嵌着）されている。これにより、上部蓋部１６と下部蓋部１５とは、一体となって蓋体１４を構成し得るように構成されている。
【００２８】
図５に示すように、コンソールボックス本体１２と下部蓋部１５との間には、後端側に後部ヒンジ部２５が設けられると共に、前端側に前部ロック部２６が設けられている。また、下部蓋部１５と上部蓋部１６との間には、前端側に前部ヒンジ部２７が設けられると共に、後端側に後部ロック部２８が設けられている。
【００２９】
図８に示すように、下部蓋部１５の断熱材１８は、枠状をして、主蓋貫通穴部２４の外周部分を取巻くように設置されている。また、上部蓋部１６の断熱材１９は、主蓋貫通穴部２４の上部を覆う（塞ぐ）ように設けられている。
【００３０】
下部蓋部１５は、図９に示すように、全体として平面視ほぼ枠状を呈している。そして、下部蓋部１５は、枠状の下部プレート３１と、上部プレート３２とを上下に有している。下部プレート３１と上部プレート３２との間（内側）には、枠状の補強部材３３が収容設置されている。そして、補強部材３３の内周部分に、上記した断熱材１８が設置されている。図９中、符号３４は、上記した前部ヒンジ部２７のためのマスク部材である。
【００３１】
また、上部蓋部１６は、図１０に示すように、インナ部材４１とアウタ部材４２とを上下に有している。インナ部材４１とアウタ部材４２との間（内側）には、上記した断熱材１９が設置されている。アウタ部材４２は、芯材４３とクッション層４４と表皮層４５とを下側から順に有する三層構造を有している。
【００３２】
＜作用＞次に、この実施例の作用について説明する。
【００３３】
前席乗員が、前端側の前部ロック部２６を操作（アンロック）すると共に、後部ヒンジ部２５を中心として、蓋体１４、即ち、下部蓋部１５と上部蓋部１６とを、一体的に上方で且つ後方へ回動することにより、蓋体１４が倒伏状態から起立状態へと変位し、以て、コンソールボックス本体１２の上面の開口部１３を開くことができる。これにより、コンソールボックス本体１２の内部への物の出し入れが可能となる。
【００３４】
反対に、前席乗員が、後部ヒンジ部２５を中心として、蓋体１４を下方で且つ前方へ回動することにより、蓋体１４が起立状態から倒伏状態へと変位し、以て、コンソールボックス本体１２の上面の開口部１３を閉じることができる。この際、前部ロック部２６は、ロックされることとなる。これにより、コンソールボックス本体１２の内部への物の収容、保管が可能となる。
【００３５】
後席乗員が、後端側の後部ロック部２８を操作（アンロック）すると共に、前部ヒンジ部２７を中心として、（下部蓋部１５に対し）上部蓋部１６（のみ）を上方で且つ前方へ回動することにより、上部蓋部１６が倒伏状態から起立状態へと変位し、以て、下部蓋部１５の主蓋貫通穴部２４を開くことができる。これにより、主蓋貫通穴部２４を介してコンソールボックス本体１２の内部への物の出し入れが可能となる。
【００３６】
反対に、後乗員が、前部ヒンジ部２７を中心として、上部蓋部１６を下方で且つ後方へ回動することにより、上部蓋部１６が起立状態から倒伏状態へと変位し、以て、主蓋貫通穴部２４を閉じることができる。この際、後部ロック部２８は、ロックされることとなる。これにより、コンソールボックス本体１２の内部への物の収容、保管が可能となる。
【００３７】
このように、この実施例によれば、以下のような作用効果を得ることができる。
【００３８】
（ａ）蓋体１４が、下部蓋部１５と上部蓋部１６とを有する前後両開構造部１７を備えることにより、前席側からは、下部蓋部１５と上部蓋部１６とを一体的に開閉することによって、コンソールボックス本体１２に対する物の出し入れなどを行うことができる。また、後席側からは、上部蓋部１６のみを開閉することによって、コンソールボックス本体１２に対する物の出し入れなどを行うことができる。これにより、同じコンソールボックス１１を、前席乗員と後席乗員との両者で共用することが可能となり、利便性を向上することができる。
【００３９】
（ｂ）そして、下部蓋部１５と、上部蓋部１６とのそれぞれに対して断熱材１８，１９を内蔵することにより、蓋体１４の部分の断熱性を確保、向上することが可能となる。これにより、例えば、コンソールボックス１１を保冷庫や保温庫として使用することが可能となり、コンソールボックス本体１２の内部に、冷たい飲物や暖かい飲物などを、保冷状態や保温状態のまま長時間、収容保存、貯蔵しておくことが可能となる。
【００４０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【図面の簡単な説明】
【００４１】
【図１】本発明の実施例にかかるコンソールボックス構造の閉状態の斜視図である。
【図２】図１の下部蓋部などの開状態の斜視図である。
【図３】図１の上部蓋部の開状態の斜視図である。
【図４】図３を斜め後方から見た斜視図である。
【図５】図１の側面図である。
【図６】下部蓋部などの開閉状態を示す側面図である。
【図７】上部蓋部の開状態を示す側面図である。
【図８】蓋体の概略断面図である。
【図９】下部蓋部の分解斜視図である。
【図１０】上部蓋部の分解斜視図である。
【図１１】従来例にかかるコンソールボックス構造の側面図である。
【符号の説明】
【００４２】
１１  コンソールボックス
１２  コンソールボックス本体
１３  開口部
１４  蓋体
１５  下部蓋部
１６  上部蓋部
１７  前後両開構造部
１８  断熱材
１９  断熱材
【図１】
2010143501.tif 000003
【図２】
2010143501.tif 000004
【図３】
2010143501.tif 000005
【図４】
2010143501.tif 000006
【図５】
2010143501.tif 000007
【図６】
2010143501.tif 000008
【図７】
2010143501.tif 000009
【図８】
2010143501.tif 000010
【図９】
2010143501.tif 000011
【図１０】
2010143501.tif 000012
【図１１】
2010143501.tif 000013